(57)【要約】  本発明に係るブラシ、特に髪の毛や動物の毛用ブラシの洗浄装置は、容器（１２）と、前記容器（１２）の内部に挿置され、洗浄すべき少なくとも一つのブラシに作用し得る少なくとも一つの回転カウンターブラシ（２ａ，２ｂ，２ｃ）とを有する。カウンターブラシは、カウンターブラシの本体の外面に沿った複数の優先ラインに沿って配置された複数の剛毛を有し、前記ラインは、カウンターブラシの本体に沿って髪の毛や動物の毛が巻き付くことを可能にするのに十分な空間を持って相互に離間されている。【選択図】図３
2009543647.tif 000002
【特許請求の範囲】
【請求項１】
容器（１２）と、
前記容器（１２）の内部に挿置され、洗浄すべき少なくとも一つのブラシに作用し得る少なくとも一つの回転カウンターブラシ（２ａ，２ｂ，２ｃ）と
を有するブラシ、特に髪の毛や動物の毛用ブラシの洗浄装置において、
カウンターブラシが、カウンターブラシの本体の外面に沿った複数の優先ラインに沿って配置された複数の剛毛を有し、
前記ラインが、カウンターブラシの本体に沿って髪の毛や動物の毛が巻き付くことを可能にするのに十分な空間を持って相互に離間されている
ことを特徴とするブラシ洗浄装置。
【請求項２】
カウンターブラシ（２ａ，２ｂ，２ｃ）の剛毛が、螺旋状の優先ラインに沿って展開する
ことを特徴とする請求項１に記載のブラシ洗浄装置。
【請求項３】
複数の剛毛から成る螺旋が、カウンターブラシが回転している間に下向きの動きを生じさせ、洗浄すべきブラシを下向きに押して、ブラシをその位置に維持するように
カウンターブラシ（２ａ，２ｂ）の少なくとも半分が形成されている
ことを特徴とする請求項２に記載のブラシ洗浄装置。
【請求項４】
カウンターブラシ（２ａ，２ｂ，２ｃ）の螺旋状に配置された剛毛（３）が三つの異なる段を有する
ことを特徴とする請求項２に記載のブラシ洗浄装置。
【請求項５】
カウンターブラシ（２ａ，２ｂ，２ｃ）に、垂直な複数のグループ、斜めの複数のグループ又は水平な複数のグループに配置された複数の剛毛（９）を設け、
グループ間に、髪の毛や動物の毛が巻き付くことを可能にするために十分な空間が設けられている
ことを特徴とする請求項１に記載のブラシ洗浄装置。
【請求項６】
少なくとも二つの近接して配置された剛毛から成るラインを有し、
これらのラインが、カウンターブラシの本体に沿って同じ方向に伸びている
ことを特徴とする請求項２又は５に記載のブラシ洗浄装置。
【請求項７】
剛毛から成る近接するラインが異なる高さである
ことを特徴とする請求項６に記載のブラシ洗浄装置。
【請求項８】
最短の長さを有する複数の剛毛が、複数の剛毛ラインの間に設けられたカウンターブラシの本体の空間に配置される
ことを特徴とする請求項１に記載のブラシ洗浄装置。
【請求項９】
剛毛のラインが、隣接する束によって構成されている
ことを特徴とする請求項１に記載のブラシ洗浄装置。
【請求項１０】
剛毛（９）が、好ましくは、ポリアミド、金属フィラメント、合成繊維、動物又は植物から成る天然フィラメント、又は様々なタイプの天然フィラメントで形成されている
ことを特徴とする請求項１〜９の何れか一項に記載のブラシ洗浄装置。
【請求項１１】
剛毛が、約２ｍｍの長さと、０．２ｍｍの直径を有する
ことを特徴とする請求項１〜１０の何れか一項に記載のブラシ洗浄装置。
【請求項１２】
剛毛が、５〜２００ｍｍの間の相互軸幅を有する
ことを特徴とする請求項１〜１１の何れか一項に記載のブラシ洗浄装置。
【請求項１３】
複数の剛毛から成る複数のラインが、カウンターブラシの本体から抜き出し可能である
ことを特徴とする請求項１〜１２の何れか一項に記載のブラシ洗浄装置。
【請求項１４】
洗浄すべきブラシが間に配置される少なくとも二つのカウンターブラシを備えている
ことを特徴とする請求項１〜１３の何れか一項に記載のブラシ洗浄装置。
【請求項１５】
二つのカウンターブラシが反対方向に回転する
ことを特徴とする請求項１４に記載のブラシ洗浄装置。
【請求項１６】
少なくとも三つの回転カウンターブラシ（２ａ，２ｂ，２ｃ）を備え、
その中の少なくとも一つのカウンターブラシ（２ａ）が、他のカウンターブラシと反対方向に回転する
ことを特徴とする請求項１４に記載のブラシ洗浄装置。
【請求項１７】
少なくとも二つの回転カウンターブラシ（２ａ，２ｂ，２ｃ）を備え、
これらのカウンターブラシが、洗浄すべき別々のブラシに同時に又は別々に作用する
ことを特徴とする請求項１４に記載のブラシ洗浄装置。
【請求項１８】
回転カウンターブラシ（２ａ，２ｂ，２ｃ）が回転軸（１１ａ，１１ｂ，１１ｃ）に取外し可能に装着されている
ことを特徴とする請求項１に記載のブラシ洗浄装置。
【請求項１９】
各回転カウンターブラシ（２ａ，２ｂ，２ｃ）が、その端部に、回転軸（１１ａ，１１ｂ，１１ｃ）に堅固に固定された横方向要素（１５ａ，１５ｂ，１５ｃ）に係合する横方向溝（１４）を備えている
ことを特徴とする請求項１８に記載のブラシ洗浄装置。
【請求項２０】
少なくとも１つのカウンターブラシ（２ａ）が、角度調整可能な軸（１１ａ）に設けられている
ことを特徴とする請求項１８に記載のブラシ洗浄装置。
【請求項２１】
カウンターブラシ（２ａ，２ｂ，２ｃ）の各々が、カウンターブラシ（２ａ，２ｂ，２ｃ）の本体の全長に沿った外側長手方向溝（４１）を少なくとも備えている
ことを特徴とする請求項１〜２０の何れか一項に記載のブラシ洗浄装置。
【請求項２２】
カウンターブラシ（２ａ，２ｂ，２ｃ）から除去され容器（１２）内にある堆積物を吸引する手段をさらに備えている
ことを特徴とする請求項１〜２１の何れか一項に記載のブラシ洗浄装置。
【請求項２３】
吸引孔（１４）が容器（１２）の底部に設けられ、
前記吸引孔（１４）が、吸引チューブ（１５）を介して収集タンク（１６）に接続されている
ことを特徴とする請求項１に記載のブラシ洗浄装置。
【請求項２４】
洗浄すべきブラシ（４）に当たるウォータスチームジェットを生成する手段（１３，３３）と、洗浄すべきブラシ（４）及びカウンターブラシ（２ａ，２ｂ，２ｃ）に当たるホットエアジェットを生成する手段８１４，４４）とをさらに備えている
ことを特徴とする請求項１に記載のブラシ洗浄装置。
【請求項２５】
容器（１２）がカバー（２１）によって閉鎖され、
前記カバー（２１）が、洗浄すべきブラシ（５）の一部を挿入するための孔（２７）を備えている
ことを特徴とする請求項１〜２４の何れか一項に記載のブラシ洗浄装置。
【請求項２６】
洗浄済ブラシを挿入するための複数の開口が設けられた環状チャンバをさらに備えている
ことを特徴とする請求項１〜２５の何れか一項に記載のブラシ洗浄装置。
【請求項２７】
車輪（２６）上に設けられている
ことを特徴とする請求項１〜２６の何れか一項に記載のブラシ洗浄装置。
【発明の詳細な説明】
【技術分野】
【０００１】
本発明は、美容師によって常時使用されるブラシや、動物の毛をブラッシングするためのブラシのような様々なタイプのブラシを洗浄する装置に関する。
【背景技術】
【０００２】
髪の毛及び／又は動物の毛をブラシから取り除くのは、根気が必要な長い時間を費やす仕事である。
この問題を解決するために、これまでに、ブラシ洗浄作業を自動化しようとする幾つかの装置が提案されている。
米国特許ＵＳ５，７０１，６２６号(Zara)は、美容師用ブラシの洗浄装置を教示している。
この洗浄装置は、同じ速度で同じ方向に回転する三つの洗浄要素を備え、これらの洗浄装置は、洗浄すべきブラシを受け入れるための空間の周囲に分布されている。
回転洗浄要素と洗浄すべきブラシとは両方共、装置の一部を成す容器に入れられた殺菌消毒液に浸される。
本願の出願人によって出願された国際公開ＷＯ２００５／０４６３２５は、美容師用の円筒状ブラシを洗浄して自動殺菌消毒する装置を教示している。
この装置にも、同じ速度で同じ方向に回転する三つの回転洗浄要素、即ち、カウンターブラシがあり、これらの回転洗浄要素は、洗浄すべきブラシを受け入れる空間の周囲に配置されている。
しかしながら、従来の米国特許ＵＳ５，７０１，６２６号とは異なり、国際公開ＷＯ２００５／０４６３２５に開示されている装置では、カウンターブラシ及びブラシは、殺菌液に浸されていない。
さらに、国際公開ＷＯ２００５／０４６３２５の装置では、洗浄すべきブラシは、カウンターブラシの回転方向と反対方向に回転させられてセットされる。
【先行技術文献】
【特許文献】
【０００３】
【特許文献１】米国特許ＵＳ５，７０１，６２６号
【特許文献２】国際公開ＷＯ２００５／０４６３２５号
【発明の概要】
【発明が解決しようとする課題】
【０００４】
しかしながら、上述の装置には幾つかの欠点がある。
従来技術の装置は、両方共、非常に効率が悪い。
米国特許ＵＳ５，７０１，６２６号(Zara)の装置には、殺菌消毒液の定期的な交換に加えて、その廃棄を必要とするというさらなる欠点がある。
さらに、米国特許ＵＳ５，７０１，６２６号(Zara)では、剛毛を全て同じ高さで緊密に束ねて配置するようにカウンターブラシが構成されており、この剛毛の配置は、殆ど全体的に剛毛でいっぱいにされた円筒状の外面を画定するようにされている。
この剛毛の配置では、洗浄すべきブラシからの髪の毛の除去が良好に行えない。
さらに、この装置は、カウンターブラシからの髪の毛の除去を促進するために、各カウンターブラシに一つ外部くしを使用することを必要とする。
国際公開ＷＯ２００５／０４６３２５にも、洗浄すべきブラシ上でカウンターブラシを機械的動作で回転させている間、洗浄すべきブラシが、上方に押されて上に上がる傾向にあるので、同じ問題がある。
【課題を解決するための手段】
【０００５】
本発明は、従来技術の欠点、特に上述した欠点を取り除くことを目的としている。
この目的は、請求項１に限定したブラシ洗浄装置によって達成される。
【図面の簡単な説明】
【０００６】
【図１】カバーを外した装置を上方から見た斜視図である。
【図２】カバー及びカウンターブラシを外した装置を上方から見た斜視図である。
【図３】カウンターブラシの斜視図である。
【図４】カバーを付けた装置の斜視図である。
【発明を実施するための形態】
【０００７】
以下に、添付図面を参照して、ブラシ洗浄装置の実施可能な実施例を説明していく。
【０００８】
添付図面の図面で用いられている符合に関して説明すると、符号１は、美容師用、動物の毛のブラッシング用又は他の形式のブラシ用として用いられるような、ブラシ洗浄装置の全体を示している。
【０００９】
この装置は、容器１２と、少なくとも三つの回転カウンターブラシ２ａ，２ｂ，２ｃを備えている。これらの回転カウンターブラシ２ａ，２ｂ，２ｃは、実質的に相互に平行であり、容器１２の中に挿入される。
【００１０】
回転カウンターブラシ２ａ，２ｂ，２ｃは、洗浄すべきブラシ４を受け入れるための空間３を画定するように円周上に配置されており、かつ、回転軸１１ａ，１１ｂ，１１ｃに取外し可能に装着される。
【００１１】
図示実施例では、カウンターブラシは、相互に等間隔にされている。
勿論、この配置は、必須の配置ではない。
【００１２】
具体的には、洗浄すべきブラシが、少なくとも一つのカウンターブラシの少なくとも一つの剛毛によって提供される面に接触するようにする限りは、カウンターブラシで画定された空間の外側に洗浄すべき第二のブラシを配置することが可能である。
【００１３】
好ましくは、少なくとも一つの回転カウンターブラシ２ａ，２ｂ，２ｃは、他の回転カウンターブラシ２ｂ，２ｃと反対方向に回転させられる。
【００１４】
この方法では、洗浄すべきブラシ上の髪の毛、動物の毛、及び任意の他の残留物が、より効果的に除去される。
【００１５】
本発明の別の実施例では、反対方向に回転することができる二つのカウンターブラシのみを使用することも可能である。
さらに別の実施例では、一つのカウンターブラシのみを使用することも可能である。
【００１６】
カウンターブラシの動きは、電気モータ及び、ギヤ式変速機、歯付きベルト又は他のシステムによって管理され得る。
カウンターブラシの絶対角速度は、好ましくは、相互に殆ど同じである。
【００１７】
洗浄すべきブラシを支持する支持部材５５が容器１２の底部に設けられ得る。
好ましくは、支持部材５５は、例えば、テフロン（登録商標）のような低摩擦係数材料で形成される。
選択的に、ブラシの回転を阻止する支持部材を設けることができる。
【００１８】
好ましくは、少なくとも一つのカウンターブラシ２が、角度調整可能な軸１１ａに設けられる。
実施可能な実施例（図示せず）では、角度調整可能な軸１１ａは、弾性的な復元力と対比して、他の二つの軸１１ｂ，１１ｃから軸１１ａを遠ざけることができる揺動アーム上に設けられる。
この動作も、自動化することができる。
【００１９】
この方法では、装置は、洗浄すべきブラシの上に殆ど一定の圧力を及ぼすように、洗浄すべきブラシの直径に合わせられ得る。
ブラシの形状やサイズが変更され得るという事実を考慮する必要がある。
【００２０】
カウンターブラシ２ａ，２ｂ，２ｃは、その本体の全長に沿って、外側長手方向溝４１を有し得る。
溝４１は、カウンターブラシの周期的なメンテナンスや洗浄を容易にするために、ナイフや同等の工具用のガイドとして使用され得る。
【００２１】
図示実施例では、各カウンターブラシ２ａ，２ｂ，２ｃには、剛毛９が設けられている。これらの剛毛９は、カウンターブラシの本体の周りに螺旋状に巻き付く複数の剛毛から成る複数のラインを作り出す隣接した複数のグループの形態で配置されている。
この特徴が機械的な洗浄作用の有効性を高めることが留意される。
【００２２】
三つの隣接した螺旋段で配置された剛毛ラインを有するカウンターブラシを使用することが、特に有効であることが示されている。
【００２３】
カウンターブラシの少なくとも半分は、剛毛９から成る螺旋が下向きに押し進んで洗浄すべきブラシを下方に押すように、言い換えれば、洗浄すべきブラシをその位置に維持するように、されなければならない。
【００２４】
また、剛毛の螺旋形状によって、髪の毛や動物の毛が最適に保持され、さまざまな剛毛の螺旋ラインの間に自由空間を設けることができるので、髪の毛や動物の毛はカウンターブラシの本体に沿って保持される。
【００２５】
螺旋状に展開する剛毛を有するカウンターブラシの場合、本発明の変形例では、同じ螺旋状展開を有する少なくとも二つの密接して配置された剛毛のラインを持たせることができ、剛毛のラインは、グループ間、即ち、対のライン間に自由空間を残して、異なる高さにすることができる。
【００２６】
（図面には示されていない）別の実施例のカウンターブラシは、カウンターブラシの本体に垂直に配置された複数の剛毛から成る複数のラインを画定するように展開する複数の剛毛の束を備え、ある剛毛の垂直ラインと他の剛毛の垂直ラインとの間に、カウンターブラシの本体に沿って、カウンターブラシ上に髪の毛や動物の毛を巻き付けることを可能にするのに十分な空間を残している。
【００２７】
さらに別の実施例は、複数の剛毛から成る複数の斜めライン又は複数の剛毛から成る複数の水平ラインを有する。
また、垂直、斜め又は水平ラインを有する場合には、同じ方向に進む複数の剛毛から成る二本の近接した複数のラインを持たせることができ、その場合、直ぐ近くのラインが異なる高さを有することができ、グループ間、即ち、対のライン間に自由空間が残っている。
【００２８】
最短の長さを持つ複数の剛毛が、複数の剛毛から成る複数のライン間に設けられたカウンターブラシの本体上の空間に挿入され得る。
【００２９】
剛毛９はポリアミドで形成され得、また、金属フィラメントや合成繊維で形成され得る。また、剛毛９は、動物、植物又は他の材料から成る天然フィラメントで形成され得る。
【００３０】
複数の剛毛から成る複数の束によって形成された複数のライン間の自由空間は、髪の毛や動物の毛がカウンターブラシの本体に沿って巻き付くことができるようにするものである。
【００３１】
実施可能な実施例では、複数の剛毛は、約２ｍｍの長さを持ち、約０．２ｍｍの直径を有する。
複数の剛毛間の相互軸幅は、５〜２００ｍｍの間、好ましくは、約２３〜２４ｍｍの間であり得る。
【００３２】
複数の剛毛束から成る複数のラインが螺旋状に配置されている場合、又は、前記複数のラインが垂直に配置されている場合、若しくは、前記複数のラインが垂直方向に対して何らかの方向付けされている場合、装置の洗浄を容易にするために、複数の剛毛から成る複数のラインを、カウンターブラシの本体から抜き出し可能にすることができ、例えば、これらのラインを、カウンターブラシの本体上に設けられた適当なシートに挿入できるストリップ上に設けることができる。
【００３３】
剛毛洗浄装置は、カウンターブラシから除去された堆積物を吸引し、容器１２内に堆積物を堆積させる手段を有し、これにより、装置自体の洗浄作業を軽減させる。
例えば、吸引孔１４が容器１２の底部に設けられ得、前記吸引孔１４は容器１２の下方に位置決めされた収集タンク１６に繋がる吸引チューブに接続されている。
【００３４】
さらに、図示した装置は、ウォータスチームジェットを生成する手段１３を備え、前記ジェットは、ノズル３３から出て洗浄すべきブラシ４に当たる。また、図示した装置は、ホットエアジェットを生成する手段１１４を有し、このジェットは少なくとも一つの孔４４から出て、洗浄すべきブラシ４及びカウンターブラシ（２ａ，２ｂ，２ｃ）に当たり、スチームを乾燥させる。
洗浄すべき別のブラシの次の洗浄作業が始まる前に、剛毛を乾燥させることが重要である。
また、スチームは、容器の内部の異なる位置に配置された複数のノズルから出ることもできる。
また、スチーム生成手段１３及びホットエア生成手段１４は、容器１２の下方に配置され得る。
【００３５】
カウンターブラシの剛毛を螺旋状に配置することにより、髪の毛や動物の毛がカウンターブラシの本体にそって巻き付くことが促進される。
吸引手段、スチーム生成手段及びホットエア生成手段は、従来の形式のものであり得る。
吸引手段、スチーム生成手段及びホットエア生成手段の調整は、公知の装置によって行われ得る。
スチームを使用することによって、（上述の従来技術で必要とされていたように）ブラシを殺菌消毒液に浸すことなく、高水準の衛生状態を保証することができる。
従来技術に対して、ここで説明する本発明に係る装置は、殺菌消毒液の廃棄の問題を解消し、環境上の観点から見て明らかに有利である。
【００３６】
容器１２は、好ましくは、カバー２１によって閉鎖される。カバー２１は、固定ピン５１，５２，５３上に装着される。また、カバー２１はブラシ４の洗浄すべき部分を挿入するための孔２７を有し、ブラシのハンドルは外側に残され得る。
実施可能な実施例では、装置は、さらに、環状チャンバ６０を有し、この環状チャンバ６０には、既に洗浄されたブラシを挿入するための複数の開口６１が設けられている。
ブラシを最適な衛生的な状態に維持するために環状チャンバには、紫外線ランプが挿入され得る。
【００３７】
この明細書で説明したように装置１は、その移動を容易にするために車輪２６上に設けられ得る。
【００３８】
当業者であれば、請求の範囲に記載された発明の概念の範囲から逸脱することなく、様々な技術的及び応用的な改良を上述した装置に加えることができることは明らかである。
【図１】
2009543647.tif 000003
【図２】
2009543647.tif 000004
【図３】
2009543647.tif 000005
【図４】
2009543647.tif 000006
【国際調査報告】
2009543647.tif 000007
2009543647.tif 000008
2009543647.tif 000009